(57)【要約】【課題】  光学駆動装置の装着時においてピンコネクタが電気的に接続される順番を限定的なものとする。【解決手段】  レンズ鏡筒（２）の光学系を手動で操作するための回転操作部材（２０２）を駆動する、レンズ鏡筒に着脱可能な光学駆動装置（１）である。レンズ鏡筒と電気的に接触する第１のピン（ｂ１）および第２のピン（ｂ２、ｂ３、ｂ４、ｂ５）を有するコネクタ（１０９）と、コネクタが設けられた外装面（１１１）の側で回転操作部材と係合して該回転操作部材を駆動する駆動部（１０６）と、を有する。第１のピンの先端は、第２のピンの先端よりもコネクタのうち第２のピンが設けられている面である基準面（１１２）から突出している。【選択図】  図１
2017111305.tif 000002
【特許請求の範囲】
【請求項１】
レンズ鏡筒の光学系を手動で操作するための回転操作部材を駆動する、前記レンズ鏡筒に着脱可能な光学駆動装置であって、
前記レンズ鏡筒と電気的に接触する第１のピンおよび第２のピンを有するコネクタと、
前記コネクタが設けられた外装面の側で前記回転操作部材と係合して該回転操作部材を駆動する駆動部と、を有し、
前記第１のピンの先端は、前記第２のピンの先端よりも前記コネクタのうち前記第２のピンが設けられている面である基準面から突出していることを特徴とする光学駆動装置。
【請求項２】
前記第１のピンは、前記第２のピンが前記レンズ鏡筒の端子に電気的に接触するよりも前に、前記レンズ鏡筒の端子に電気的に接触することを特徴とする請求項１に記載の光学駆動装置。
【請求項３】
前記第１のピンは、前記コネクタに最も近い前記外装面の淵部に対して、前記第２のピンよりも近い位置に配置されていることを特徴とする請求項１又は２に記載の光学駆動装置。
【請求項４】
前記基準面に対する、前記第１のピンの先端位置と前記第２のピンの先端位置とを結ぶ線のなす角をθとし、
前記基準面の面上の前記第１のピンが配置された位置と前記第１のピンよりも前記第２のピンに近い前記外装面の淵部とを結ぶ線に対する、該淵部と前記第１のピンの先端位置とを結ぶ線のなす角をφとしたとき、
θ＞φ
を満たすことを特徴とする請求項１から３のうちいずれか１項に記載の光学駆動装置。
【請求項５】
前記第１のピンおよび前記第２のピンは、外力により前記外装面に押し込まれる構造を有するスプリングピンコネクタであることを特徴とする請求項１から３のうちいずれか１項に記載の光学駆動装置。
【請求項６】
前記第１のピンおよび前記第２のピンは、外力により前記外装面に押し込まれる構造を有するスプリングピンコネクタであり、
前記基準面に対する、前記外力が及ばないときの前記第１のピンの先端位置と前記第２のピンの先端位置とを結ぶ線のなす角をθとし、
前記基準面の面上の前記第１のピンが配置された位置と前記第１のピンよりも前記第２のピンに近い前記外装面の淵部とを結ぶ線に対する、該淵部と前記外力が及ばないときの前記第１のピンの先端位置とを結ぶ線のなす角をφ’としたとき、
θ＞φ’
を満たすことを特徴とする請求項１から３のうちいずれか１項に記載の光学駆動装置。
【請求項７】
前記外装面の淵部は、前記レンズ鏡筒が前記第１のピンに外力を加えずに電気的に接続されたときに、光軸方向において前記レンズ鏡筒と接触し得る位置であることを特徴とする請求項１から６のうちいずれか１項に記載の光学駆動装置。
【請求項８】
前記第１のピンは、グランド端子であることを特徴とする請求項１から７のうちいずれか１項に記載の光学駆動装置。
【請求項９】
撮影光学系および該撮影光学系を手動で操作するための回転操作部材を含むレンズ鏡筒と、
請求項１から８のうちいずれか１項に記載の光学駆動装置と、を有することを特徴とするレンズ装置。
【請求項１０】
前記第１のピンが前記レンズ鏡筒のコネクタと電気的に接触する際に、
前記基準面に対する、前記第１のピンの先端位置と前記第２のピンの先端位置とを結ぶ線のなす角をθとし、
前記基準面に対する、前記レンズ鏡筒の光軸のなす角をθ１としたとき、
θ＞θ１
を満たすことを特徴とする請求項９に記載のレンズ装置。
【請求項１１】
前記レンズ鏡筒は、光軸と平行な面に前記コネクタを有しており、
前記光学駆動装置のコネクタが前記第１のピンおよび前記第２のピンを含み、
前記第１のピンが前記レンズ鏡筒のコネクタと電気的に接触する際に、
前記基準面に対する、前記第１のピンの先端位置と前記第２のピンの先端位置とを結ぶ線のなす角をθとし、
前記基準面に対する、前記平行な面とのなす角をθ２としたとき、
θ＞θ２
を満たすことを特徴とする請求項９又は１０に記載のレンズ装置。
【請求項１２】
請求項９から１１のうちいずれか１項に記載のレンズ装置と、
前記撮影光学系を介して形成された光学像を光電変換して画像データを出力する撮像素子と、を有することを特徴とする撮像装置。
【発明の詳細な説明】
【技術分野】
【０００１】
本発明は、レンズ鏡筒に着脱可能であって、レンズ鏡筒の操作部材を駆動可能な光学駆動装置に関する。
【背景技術】
【０００２】
レンズ交換式デジタルカメラにおいて、業務用ビデオカメラのようにズームやフォーカスや絞り値を操作するための着脱式のレンズ駆動アダプタが求められている。ここで、業務用ビデオカメラのレンズ駆動アダプタではケーブルによってカメラと通信する方式が採用されているが、小型で容易な使用が求められるレンズ交換式のデジタルカメラではこの通信方式を用いることは適当でない。
【０００３】
そこで、特許文献１は、レンズ駆動アダプタとレンズ装置とに電源供給等を行うコネクタを設け、レンズ駆動アダプタをレンズ鏡筒に装着する際に上記コネクタが互いに電気的に接続される構成を開示している。
【先行技術文献】
【特許文献】
【０００４】
【特許文献１】特開２００７−１０８３７３
【発明の概要】
【発明が解決しようとする課題】
【０００５】
レンズ駆動アダプタとレンズ鏡筒との間で電源供給や通信等を行うためには、コネクタに複数のピン（接触部）を設ける必要がある。
【０００６】
しかし、レンズ駆動アダプタを装着する際、レンズ鏡筒とレンズ駆動アダプタとの位置関係によってはピンコネクタが電気的に接続される順番が意図しないものとなり、レンズ鏡筒の内部の電子回路で誤作動や故障等が引き起こされるおそれがある。
【０００７】
そこで、本発明は、レンズ駆動アダプタの装着時においてピンコネクタが電気的に接続される順番を限定的なものとしたレンズ駆動アダプタ、レンズ装置、および撮像装置を提供する。
【課題を解決するための手段】
【０００８】
本発明の一側面としての光学駆動装置は、レンズ鏡筒の光学系を手動で操作するための回転操作部材を駆動する、前記レンズ鏡筒に着脱可能な光学駆動装置であって、前記レンズ鏡筒と電気的に接触する第１のピンおよび第２のピンを有するコネクタと、前記コネクタが設けられた外装面の側で前記回転操作部材と係合して該回転操作部材を駆動する駆動部と、を有し、前記第１のピンの先端は、前記第２のピンの先端よりも前記コネクタのうち前記第２のピンが設けられている面である基準面から突出していることを特徴とする。
【発明の効果】
【０００９】
本発明は、光学駆動装置の装着時においてピンコネクタが電気的に接続される順番を限定的なものとし、誤作動や故障等が生じにくくすることができる。
【図面の簡単な説明】
【００１０】
【図１】実施例におけるレンズ駆動アダプタが、レンズ鏡筒と水平な姿勢でレンズ鏡筒と電気的に接続される瞬間を表す図である。
【図２】実施例におけるレンズ駆動アダプタが、レンズ鏡筒と水平な姿勢でレンズ鏡筒と電気的に接続される瞬間を表す断面図である。
【図３】実施例におけるレンズ駆動アダプタが、レンズ鏡筒の光軸に対して傾いた状態でレンズ鏡筒と電気的に接続される瞬間を表す図である。
【図４】実施例におけるレンズ駆動アダプタが、レンズ鏡筒の光軸方向視において傾いた状態でレンズ鏡筒と電気的に接続される瞬間を表す断面図である。
【図５】実施例におけるレンズ駆動アダプタが、レンズ鏡筒と水平な姿勢でレンズ鏡筒と電気的に接続される瞬間を表す断面図である。
【図６】実施例におけるレンズ駆動アダプタが、レンズ鏡筒の光軸に対して傾いた状態でレンズ鏡筒と電気的に接続される瞬間を表す図である。
【図７】実施例におけるレンズ駆動アダプタが、傾いた状態でレンズ鏡筒と電気的に接続される瞬間を表す断面図である。
【図８】（ａ）本実施形態におけるレンズ鏡筒とレンズ駆動アダプタとの組付け状態を示す側面図である。（ｂ）レンズ鏡筒とレンズ駆動アダプタとの組付け状態を示す断面図である。（ｃ）レンズ鏡筒とレンズ駆動アダプタとの組付け状態を示す底面図である。
【図９】本実施形態におけるレンズ駆動アダプタとレンズ鏡筒のブロック図である。
【図１０】（ａ）端子の一例を示す図である。（ｂ）（ａ）の側面図である。
【発明を実施するための形態】
【００１１】
以下、本発明の実施例について、図面を参照しながら詳細に説明する。
【００１２】
まず、図８および図９を参照して、本発明の実施例１におけるレンズ駆動アダプタ（光学駆動装置）について説明する。
【００１３】
図８は、本実施例におけるレンズ駆動アダプタ１とレンズ鏡筒２の組付け状態を示す説明図である。図８（ａ）はレンズ鏡筒２を光軸に垂直な方向（側面方向）から見た図であり、レンズ駆動アダプタ１については内部構造が分かるように図８（ｂ）のＡ−Ａ線で切断した断面図となっている。図８（ｂ）は、図８（ｃ）のＣ−Ｃ線で切断したときの断面図である。図８（ｃ）は、図８（ａ）のＢ−Ｂ線で切断したときの断面図である。
【００１４】
図９は、本実施例において、レンズ鏡筒２をカメラ本体３に装着し、レンズ鏡筒２にレンズ駆動アダプタ１を装着したときのカメラ（撮像装置）３のブロック図である。
【００１５】
カメラ本体３は撮像素子３０２を有し、この撮像素子３０２は後述のレンズ鏡筒２の内部の撮影光学系により形成された光学像を光電変換して画像データを出力する。
【００１６】
レンズ鏡筒２は、カメラ本体３の不図示のマウント部に取り付けることができる。鏡筒本体２０１は内部に複数のレンズ群（撮影光学系を含む））を有し、光軸を中心にレンズ駆動リング（回転操作部材）２０２を回動させることで内部の複数のレンズ群の少なくとも１つを光軸方向に前後に動かすことができる。これにより、焦点距離や合焦状態を変化させることができる。
【００１７】
第２のレンズ情報通信部２０３は、鏡筒本体２０１の内部の各レンズ群の位置や駆動スピードなどの情報について、後述のレンズ駆動アダプタ１の第１のレンズ情報通信部１０５やカメラ本体３の第３のレンズ情報通信部３０１と通信を行う。
【００１８】
レンズ駆動アダプタ１は、レンズ駆動アダプタ本体１０１に設けられた取付け機構により、レンズ鏡筒２に着脱可能に取り付けられる。取付け機構の詳細については後述する。
【００１９】
操作スイッチ１０２は、レンズ駆動アダプタ本体１０１に設けられ、後述の駆動制御部１０４にユーザの操作を伝達する。駆動源１０３は、ＤＣモータや圧電素子やステップモータ等のエンジン部、および複数のギアやプーリーなどで構成された減速機を有する。
【００２０】
駆動制御部１０４は、操作スイッチ１０２によるユーザの操作やカメラ本体３からの指示に応じて、駆動源１０３の駆動方向、駆動速度、駆動時間等を制御する。駆動伝達部１０６（駆動部）は、駆動源１０３の駆動に応じて回転する歯車を有し、当該歯車がレンズ駆動リング２０２のレンズ駆動ギア２０２１と噛み合うことで駆動源１０３からの駆動力がレンズ駆動リング２０２に伝達される。
【００２１】
第１のレンズ情報通信部１０５は、後述する接点部を介してレンズ鏡筒２に備えられた第２のレンズ情報通信部２０３と相互に通信を行う。例えば、第２のレンズ情報通信部２０３からレンズ群のズームやフォーカスの位置、フォーカスの合焦状態などの情報を受信し、その情報を基に、駆動源１０３の駆動速度、駆動量、駆動方向等を制御する。これにより、ズームやフォーカスにおける鏡筒本体２０１の内部のレンズ群の位置情報に基づいて該レンズ群がメカ端にぶつからないように制御することや、駆動条件（速度など）をフォーカスの合焦状態にズレが生じないように制御することができる。
【００２２】
また、第１のレンズ情報通信部１０５は、第２のレンズ情報通信部２０３に駆動源１０３の駆動方向や駆動速度等の駆動情報を送信する。これにより、例えば、該情報を基にアダプタと連動して駆動するレンズ群の速度を求め、それに応じて、他のレンズ群の駆動条件（速度など）を設定する制御を行うことができる。また、第３のレンズ情報通信部３０１および第２レンズ情報通信部２０３を介して、カメラ本体３からの駆動指示を第１のレンズ情報通信部１０５により受信して、当該駆動指示に基づいて駆動源１０３を駆動してもよい。
【００２３】
次に、図８（ａ）、図８（ｂ）、および図８（ｃ）を参照して、レンズ駆動アダプタ１をレンズ鏡筒２に装着するための固定部と電気的な接続を行うコネクタの構成について説明する。
【００２４】
本実施例では、レンズ駆動アダプタ１は、２箇所の固定部でレンズ鏡筒２に固定される。この固定部は、レンズ駆動リング２０２と平行に、レンズ駆動リング２０２をまたぐことなく配列される。すなわち、レンズ駆動リング２０２よりもカメラ側の鏡筒外装２０４にのみ配置されている。これにより、レンズ駆動リング２０２の操作幅について制約がなく、レンズ駆動アダプタ１が装着可能なレンズ鏡筒の自由度が高まる。また、本実施例では、固定部を２箇所としたが２箇所以上であっても良い。
【００２５】
本実施例では、ねじによる固定方法を用いるが、例えば、磁性体と永久磁石を用いた磁気付勢のような構成や手動でレバーを回すことでレンズ鏡筒に設けられた溝にレンズ駆動アダプタの２以上の固定爪が係合する構成を用いてもよい。以下、本実施例における固定方法について詳細に説明する。
【００２６】
レンズ鏡筒２には、鏡筒外装２０４に雌ねじ形状の固定穴２０４１が２箇所に配置され、配置される位置は外装の周方向に離間している。
【００２７】
レンズ駆動アダプタ１には、貫通孔１０７１がレンズ鏡筒２の固定穴２０４１と重なる位置に配置され、ねじ部材としての被固定部材１０７が貫通孔１０７１を貫通してレンズ鏡筒２の固定穴２０４１にねじ込まれる。これによって、レンズ駆動アダプタ１がレンズ鏡筒２に固定される。
【００２８】
次に、レンズ駆動アダプタ１とレンズ鏡筒２との電気的な接点となるコネクタの配置について説明する。レンズ駆動アダプタ１のコネクタ１０９は、レンズの光軸２００と上記固定部とを結ぶ線１０７ａ，１０７ｂによって形成される劣角側において、レンズ鏡筒２の外周方向における２箇所の固定部の中点となる位置に、少なくとも一部が重なるように配置される。すなわち、本実施例ではレンズ鏡筒２とレンズ駆動アダプタ１とを電気的に接続するコネクタ１０９は、固定部を含む鏡筒外装２０４の外周上に配置される。この構成によれば、操作スイッチ１０２の操作時の外力によりレンズ駆動アダプタ１に位置ズレが生じても、コネクタ１０９が固定部に挟まれているため、コネクタ１０９の設けられた位置は支点となりズレ量が少ない。そのため、安定した通信を確保することができる。なお、この構成は一例であり、レンズ駆動アダプタ１を安定してレンズ鏡筒２に装着にするために、これと別の位置、例えばレンズ駆動リング２０２を挟んで固定部と反対側の位置にコネクタ１０９を設けてもよい。
【００２９】
レンズ鏡筒２側のコネクタ２０５の端子２０６は、ロジウムニッケルメッキ等を施された少なくとも２つ以上の導電部材である。端子２０６と第２のレンズ情報通信部２０３とは、フレキシブルプリント基板等によって接続されている。端子２０６は、外部に露出されるため、強度、防滴、省スペース等の面から鏡筒外装２０４にインサート成型されていることが望ましいが、別部材を介して鏡筒外装２０４に配置されてもよい。
【００３０】
レンズ駆動アダプタ１側のコネクタ１０９は、弾性部材によって伸縮可能に付勢されるスプリングピンコネクタであり、その端子１１０には金メッキが施されている。端子１１０はレンズ駆動アダプタ１がレンズ鏡筒２に装着された際に、レンズ鏡筒２の端子２０６と電気的に接触する。本実施例では、端子１１０を５極とし、ピンｂ１，ｂ２，ｂ３，ｂ４，ｂ５を有するものとしたが、極の数（ピンの数）はこれに限定されない。例えば、２×２の４極、２×３の６極、３×３の９極などであってもよい。さらには、図１０（ａ）および（ｂ）に示すように３本、２本、３本の列で構成された計８極の構成であって、図１０に示すように奥側の列の左右端にある２本のピンを他のピンよりも突出しているピンｂ１としてもよい。
【００３１】
レンズ駆動アダプタ１の端子１１０と第１のレンズ情報通信部とは、フレキシブルプリント基板等によって接続されている。
【００３２】
以上の構成により、レンズ駆動アダプタ１をレンズ鏡筒２に装着することで、端子１１０と端子２０６が接触し、レンズ駆動アダプタ１とレンズ鏡筒２との間で通信が可能となる。
【実施例１】
【００３３】
以下、レンズ駆動アダプタ１を装着する際に、端子１１０のピンが端子２０６に電気的に接触する順番を制限する構成について、図１から図７を用いて説明する。
【００３４】
図１および図２は、レンズ駆動アダプタ１のレンズ鏡筒２側の外装面１１１がレンズ鏡筒２の光軸に平行な姿勢（レンズ鏡筒２に水平な姿勢）で、端子１１０が端子２０６に接触した瞬間を示している。このとき、ピンｂ１の１極だけが端子２０６に接触しており、ピンｂ２，ｂ３，ｂ４，ｂ５の４極は端子２０６に接触していない。端子１１０が端子２０６に接触した瞬間であるため、ピンｂ１に端子２０６からの力（外力）は加わっていない状態である。
【００３５】
図３および図４は、レンズ駆動アダプタ１のレンズ鏡筒２側の外装面１１１がレンズ鏡筒２と接触した姿勢で、端子１１０を端子２０６に接触した瞬間を示している。具体的には、図３はレンズ鏡筒２の光軸から傾いた状態でレンズ駆動アダプタ１をレンズ鏡筒１に取り付けようとしている状態を示す図であり、図４は光軸方向視においてレンズ駆動アダプタ１を傾けながらレンズ鏡筒１に取り付けようとしている状態を示す図である。
【００３６】
このときも、ピンｂ１の１極だけが端子２０６に接触しており、ピンｂ２，ｂ３，ｂ４，ｂ５の４極は端子２０６に接触していない。また、端子１１０が端子２０６に接触した瞬間であるため、ピンｂ１に端子２０６からの力（外力）は加わっていない状態である。
【００３７】
このように、図３および図４において、レンズ駆動アダプタ１は、外装面１１１の淵部である点Ｐ又は点Ｑでレンズ鏡筒２に接触している。そのため、レンズ駆動アダプタ１のコネクタ１０９においてピンが配置されている面を延長した基準面１１２は、図１および図２の状態に比べて、レンズ鏡筒２の光軸に対して傾いている。点Ｐ又は点Ｑは、ピンｂ１よりも他のピンｂ２，ｂ３，ｂ４，ｂ５に近い。これらの場合において、他のピンが端子２０６に接触する前にピンｂ１が端子２０６に電気的に接触するのは、端子１１０のうちピンｂ１の先端位置だけが他のピンの先端位置よりも突出しているためである。
【００３８】
ピンｂ１を最初に端子２０６に接触させるための構成について、以下で具体的に説明する。以降、ピンの先端位置とはスプリングピンコネクタに外力が及ばないときの位置をいう。
【００３９】
また、図１又は図２に示すように、基準面１１２に対するピンｂ１の先端位置とピンｂ１以外の他のピン（図１ではピンｂ４、図２ではピンｂ２）の先端位置とを結ぶ線のなす角をθとする。
【００４０】
図３では、外装面１１１が点Ｐでレンズ鏡筒２と接触する。このとき、基準面１１２に対する、レンズ鏡筒２の光軸に平行な面２０７（又は光軸）のなす角をθ１とすると、
θ＞θ１    ・・・・（１）
を他のピンｂ２，ｂ３，ｂ４，ｂ５のすべてについて満たせば、他のピンが端子２０６に接触する前にピンｂ１が端子２０６に電気的に接触する。
【００４１】
図４では、外装面１１１が点Ｑでレンズ鏡筒２と接触する。このとき、基準面１１２に対する面２０７のなす角をθ２とすると、
θ＞θ２    ・・・・・（２）
を他のピンｂ２，ｂ３，ｂ４，ｂ５のすべてについて満たせば、他のピンが端子２０６に接触する前にピンｂ１が端子２０６に電気的に接触する。
【００４２】
次に、図５から図７を参照しながら、レンズ駆動アダプタ１の構成のみを用いてピンｂ１が最初に端子２０６に接触する構成を規定する。図５から図７は、それぞれ図２から図４と同様の状態を、異なる補助線を用いて示したものである。
【００４３】
まず、図６を用いて、図３と同様に外装面１１１が点Ｐでレンズ鏡筒２と接触する状態について説明する。このとき、基準面１１２の面上のピンｂ１が配置された位置と点Ｐとを結ぶ線に対する、点Ｐとピンｂ１の先端位置とを結ぶ線のなす角をφとする。換言すれば、φは、基準面１１２に対する点Ｐとピンｂ１の先端位置とを結ぶ線のなす角である。このφが上述の図３におけるθ１よりも大きいことは自明である。図３におけるθ１はレンズ鏡筒２の端子２０６が配置される溝の深さ、すなわち面２０７の位置に依存し、
θ１≧φ    ・・・・（３）
となる。
【００４４】
従って、式（１）および式（３）から
θ＞φ  ・・・・・（４）
が導出される。
【００４５】
そのため、図６に示す状態では、式（４）を他のピンｂ２，ｂ３，ｂ４，ｂ５のすべてについて満たせば、他のピンが端子２０６に接触する前にピンｂ１が端子２０６に電気的に接触する。
【００４６】
次に、図５および図７を用いて、図４と同様に外装面１１１が点Ｑでレンズ鏡筒２と接触する状態について説明する。
【００４７】
図５は、図２と同様にレンズ駆動アダプタ１のレンズ鏡筒２側の外装面１１１がレンズ鏡筒２の光軸に平行な姿勢で、端子１１０を端子２０６に接触した瞬間を示している。
【００４８】
ここで、図４におけるθ２は、図５に示されるピンｂ１の先端位置と点Ｑとを結ぶ線に対する、ピンｂ１の先端位置と点Ｑ’とを結ぶ線のなす角θ３と等しい。点Ｑ’はレンズ鏡筒２が点Ｑと接触する位置である。
【００４９】
すなわち、
θ２＝θ３  ・・・・・（５）
が成り立つ。
【００５０】
そして、θ３は、ピンｂ１の先端位置と点Ｑとを結ぶ線に対する、ピンｂ１の先端位置と点Ｑ’’とを結ぶ線のなす角φ’よりも小さい。点Ｑ’’は、点Ｑからの距離がピンｂ１の長さと同一となる点である。θ３はレンズ鏡筒２の端子２０６が配置される溝の深さ、すなわち面２０７の位置に依存する。従って、
φ’≧θ３  ・・・・・（６）
となる。
【００５１】
さらに、図７に示すように、φ’’は、基準面１１２の面上のピンｂ１が配置された位置と点Ｑとを結ぶ線に対する、点Ｑとピンｂ１の先端位置とを結ぶ線のなす角であり、φ’の錯角にあたる。従って、式（６）から、
φ’’≧θ３・・・・（７）
となる。
【００５２】
さらに、式（２）、式（５）、および式（７）から、
θ＞φ’’  ・・・・・（８）
が導出される。
【００５３】
そのため、図５に示す状態では、式（８）を他のピンｂ２，ｂ３，ｂ４，ｂ５のすべてについて満たせば、他のピンが端子２０６に接触する前にピンｂ１が端子２０６に電気的に接触する。
【００５４】
φとφ’’は、いずれも基準面１１２の面上のピンｂ１が配置された位置とピンｂ１よりも他のピンに近い外装面１１１の淵部とを結ぶ線に対する、該淵部とピンｂ１の先端位置とを結ぶ線のなす角である。
【００５５】
以上の様に、端子１１０のピンのいずれかを他のピンよりも基準面１１２から突出させることによって、レンズ駆動アダプタ１を光軸に対して傾けてレンズ鏡筒２に取り付けようとしても、所望のピンを最初に端子２０６に電気的に接触させることが可能となる。特にグランド端子を最初に端子２０６に電気的に接触させることが好ましい。これによって前述の誤作動や故障等の発生を抑制することが可能となる。
【００５６】
本実施例では、端子１１０のうちピンｂ１が他のピンよりも長い構成について説明した。しかし、ピンｂ１を他のピンの長さと同じ又は短くして、ピンｂ１が設けられるコネクタ１０９の面を他のピンが設けられる面よりもレンズ鏡筒２側に突出させてもよい。この場合、基準面１１２は、他のピン（ｂ２，ｂ３，ｂ４，ｂ５）が配置されている面を示す。
【００５７】
また、本実施例では最もマウント側にあるピンの先端位置を突出させた。しかし、突出させるピンｂ１が、コネクタ１０９に最も近い外装面１１１の淵部Ｘに他のピンよりも近ければよい。これにより、コネクタ１０９を外装面１１１の淵部に近い位置に設けたとしても、ピンｂ１と他のピンとの長さを極端に変えることなく、ピンｂ１がレンズ鏡筒２の端子２０６に最初に接触する蓋然性を高めることができる。
【００５８】
また、本実施例においてレンズ鏡筒とレンズ駆動アダプタとを電気的に接続する端子は、レンズ駆動アダプタ側の端子をスプリングピンコネクタとし、レンズ鏡筒の端子に接触することで伸縮する構成とした。しかし、レンズ鏡筒側の端子をスプリングピンコネクタとしてもよい。また、少なくとも１つのピンを長くし他の短いピンよりも先に電気的な接続が行われる構成であれば、ピンはスプリングピンコネクタに限定されない。
【００５９】
以上、本発明の好ましい実施形態について説明したが、本発明はこれらの実施形態に限定されず、その要旨の範囲内で種々の変形及び変更が可能である。
【符号の説明】
【００６０】
１          レンズ駆動用アダプタ
１０６      駆動伝達部材
１０９      コネクタ
ｂ１、ｂ２、ｂ３、ｂ４、ｂ５    ピン
１１１      外装面
１１２      基準面
２          レンズ鏡筒
２０２      レンズ駆動リング
【図１】
2017111305.tif 000003
【図２】
2017111305.tif 000004
【図３】
2017111305.tif 000005
【図４】
2017111305.tif 000006
【図５】
2017111305.tif 000007
【図６】
2017111305.tif 000008
【図７】
2017111305.tif 000009
【図８】
2017111305.tif 000010
【図９】
2017111305.tif 000011
【図１０】
2017111305.tif 000012